(57)【要約】      （修正有）【課題】本来提供したい情報を得るための入力操作を体験させることのできる懸賞催行方式を提供する。【解決手段】例えば、インターネット上で懸賞を催行し、懸賞応募対象者に対して所望の広告或いは特定情報の提供を行う懸賞催行方式であって、懸賞催行者が、懸賞応募対象者に対して、懸賞応募用のＩＤコードと懸賞応募時に入力させる仮情報とを含む情報を配布する過程と、懸賞応募対象者から懸賞を行うサイトへのアクセスを受け付ける過程と、前記懸賞応募用のＩＤコードを入力させる過程と、入力が正常行われた場合に、前記仮情報を入力または選択させる過程と、前記仮情報の入力または選択が正常に行われた場合に、懸賞に対する応募を受け付けると共に、応募者の送信先情報を入力させる過程と、懸賞催行者が、懸賞応募対象者に対して前記送信先情報に基づいて懸賞応募の確認情報と、各懸賞応募対象者に割り当てた個人ＩＤコードを送信する過程と、を有する。【選択図】図３
2005309507.tif 000002
【特許請求の範囲】
【請求項１】
通信ネットワーク上で懸賞を催行し、懸賞応募対象者に対して所望の広告或いは特定情報の提供を行う懸賞催行方式であって、
懸賞催行者が、懸賞応募対象者に対して、懸賞応募用のＩＤコードと懸賞応募時に入力させる仮情報とを含む情報を配布する過程と、
懸賞応募対象者から懸賞を行うサイトへのアクセスを受け付ける過程と、
所定画面において前記懸賞応募用のＩＤコードを入力させる過程と、
前記ＩＤコードの入力が正常行われた場合に、前記仮情報を入力または選択させる過程と、
前記仮情報の入力または選択が正常に行われた場合に、懸賞に対する応募を受け付けると共に、応募者の送信先情報を入力させる過程と、
懸賞催行者が、懸賞応募対象者に対して前記送信先情報に基づいて懸賞応募の確認情報と、各懸賞応募対象者に割り当てた個人ＩＤコードを送信する過程と、を少なくとも有し、
前記仮情報を入力または選択させる過程における手順は、当該懸賞催行方式を適用するサイトで本来提供すべき特定情報を得る際に行うべき手順と同一手順としたことを特徴とする懸賞催行方式。
【請求項２】
前記本来提供すべき特定情報は、懸賞応募対象者の居住地域における医療に関する情報，病院に関する情報であることを特徴とする請求項１に記載の懸賞催行方式。
【請求項３】
前記仮情報は、地域情報，医療科目情報を含むことを特徴とする請求項２に記載の懸賞催行方式。
【請求項４】
前記懸賞応募用のＩＤコードは、懸賞応募対象者の居住地域に応じて割り振られていることを特徴とする請求項１から請求項３の何れかに記載の懸賞催行方式。    
【発明の詳細な説明】
【技術分野】
【０００１】
本発明は、通信ネットワーク上で懸賞を催行し、懸賞応募対象者に対して所望の広告或いは特定情報の提供を行う懸賞催行方式に関する。
【背景技術】
【０００２】
近年、インターネットをはじめとする通信ネットワークの普及に伴い、通信ネットワーク上に構築されるサイトを介して各種情報の配信を行うサービスが、企業や団体の広告宣伝手段として重視されてきている。
【０００３】
また、通信ネットワークの双方向性を利用して、多数のユーザの利用者情報を容易に収集することができることから、通信ネットワーク上で懸賞を催行することにより、所望の広告宣伝効果を狙うとともに、ユーザから利用者情報を収集する懸賞広告サービスも増加している。
【０００４】
この種の通信ネットワークを用いた懸賞広告サービスとしては、例えば、下記の特許文献１に示すように、懸賞対象を発生させるための懸賞対象識別情報を業者端末から受信する過程と、懸賞への応募を特定するための応募識別情報を消費者端末から受信する過程と、前記応募識別情報を前記懸賞対象識別情報と照合する過程とを備え、前記懸賞対象識別情報及び前記応募識別情報は、予め媒体に重複なく記録された基礎識別情報と、懸賞対象に関する情報として前記媒体に付加された付加情報とを含む懸賞方法等が提案されている。
【０００５】
これらの懸賞方法によれば、懸賞に要する手間やコストを軽減して、懸賞を効率良く実施することが可能になるというメリットがあった。
【特許文献１】特開２００３−３１６９１６号公報
【発明の開示】
【発明が解決しようとする課題】
【０００６】
ところで、インターネット等の通信ネットワークおよびパーソナルコンピュータ（以下、ＰＣという）は、ＰＣのキーボードやマウスによる入力操作等に不慣れな高齢層や幼年層等にも普及しつつある。
【０００７】
一方で、これらの高齢層や幼年層等をターゲットにした商品情報，医療情報，サービス情報等の提供を行うサイトは増加する傾向にある。また、これらのサイトでは、上述した懸賞広告サービスを取り入れて新規なユーザを開拓したい思惑を有している。
【０００８】
しかしながら、上記従来の懸賞方法では、懸賞に応募する際に行う入力操作と、本来提供したい情報を得るために行う入力操作とには関連性がなく、ただでさえ入力操作に負担を感じる層の人間には複数系統の操作を行う必要から倦厭される虞があった。
【０００９】
また、高齢層や幼年層等のＰＣの操作に不慣れな者達でも容易に情報を得ることができるように操作性や画面構成に工夫を凝らしたサイトを設置した場合であっても、懸賞に興味を持ってアクセスして来た者に、その操作性等を体感させることが難しいという問題があった。即ち、懸賞の広告宣伝効果によりサイトにアクセスさせることができたとしても、本来提供したい情報にアクセスするための手順や得られる情報の具体例を体験させる仕組みがないので、懸賞に応募しただけで終わってしまい、究極の目的である新規ユーザ獲得になかなか到らないという不都合があった。
【００１０】
この発明は、上記問題点を解決すべく案出されたものであり、本来提供したい情報を得るための入力操作を体験させることのできる懸賞催行方式を提供することを目的とする。
【課題を解決するための手段】
【００１１】
前記目的を達成するために、本発明は、通信ネットワーク（例えば、インターネット２）上で懸賞を催行し、懸賞応募対象者に対して所望の広告或いは特定情報の提供を行う懸賞催行方式であって、懸賞催行者が、懸賞応募対象者に対して、懸賞応募用のＩＤコードと懸賞応募時に入力させる仮情報とを含む情報（例えば、電子メールＭ）を配布する過程と、懸賞応募対象者から懸賞を行うサイトへのアクセスを受け付ける過程と、所定画面において前記懸賞応募用のＩＤコードを入力させる過程と、前記ＩＤコードの入力が正常行われた場合に、前記仮情報を入力または選択させる過程と、前記仮情報の入力または選択が正常に行われた場合に、懸賞に対する応募を受け付けると共に、応募者の送信先情報を入力させる過程と、懸賞催行者が、懸賞応募対象者に対して前記送信先情報に基づいて懸賞応募の確認情報と、各懸賞応募対象者に割り当てた個人ＩＤコードを送信する過程と、を少なくとも有し、前記仮情報を入力または選択させる過程における手順は、当該懸賞催行方式を適用するサイトで本来提供すべき特定情報を得る際に行うべき手順と同一手順とした。
【００１２】
また、前記本来提供すべき特定情報は、懸賞応募対象者の居住地域における医療に関する情報，病院に関する情報とすることができる。
また、前記仮情報は、地域情報，医療科目情報を含むようにすることができる。
さらに、前記懸賞応募用のＩＤコードは、懸賞応募対象者の居住地域に応じて割り振られるようにすることができる。
【発明の効果】
【００１３】
本発明によれば、仮情報を入力または選択させる過程における手順は、当該懸賞催行方式を適用するサイトで本来提供すべき特定情報を得る際に行うべき手順と同一手順としているので、懸賞応募対象者は、懸賞に応募するための仮情報等の入力または選択を行う過程で自然に本来提供すべき特定情報を得る際に行うべき手順を体験することができる。したがって、入力操作に不慣れな高齢者等に実際の操作をさせることにより慣れさせることができ、また、サイトの構成に応じて操作手順の容易さや得られる情報の有用性を体感的にアピールすることが可能となり、ユーザ獲得の可能性を高めることが期待できる。
【００１４】
また、本来提供すべき特定情報は、懸賞応募対象者の居住地域における医療に関する情報，病院に関する情報とした場合には、これらの情報を提供するサイトにおいて懸賞に応募する際に入力手順を体験させ、本来提供される情報の有用性をアピールすることができ、ユーザ獲得の可能性を高めることが期待できる。
【００１５】
また、前記仮情報が、地域情報，医療科目情報を含むようにした場合には、上述のように懸賞応募対象者の居住地域における医療に関する情報，病院に関する情報を得る際の手順を忠実に体験させることができる。
【００１６】
また、前記懸賞応募用のＩＤコードは、懸賞応募対象者の居住地域に応じて割り振られるようにした場合には、居住地域に合わせた仮情報を用意することができ、より忠実に本来提供すべき特定情報を得る際の入力手順を体験させることができる。
【発明を実施するための最良の形態】
【００１７】
以下、本発明の実施の形態を図面に基づいて説明する。
図１は、本実施形態に係る懸賞方式を実施するための情報提供システムの概略を示すブロック図である。
本実施形態において例示する情報提供システムＳは、クリニック（病院）に関する情報を提供するものである。
【００１８】
情報提供システムＳは、図１に示すように、情報提供サービスサイト１と、インターネット等の通信ネットワーク２と、複数のユーザ端末３，３・・・とから構成されている。
【００１９】
情報提供サービスサイト１は、本発明に係る懸賞方式を採用した懸賞サーバ１００と、クリニックに関する情報を提供するクリニック情報サーバ２００と、両サーバ１００，２００からホームページの閲覧情報および電子メール等の各種情報の送受信を行うモデムや通信ターミナル等で構成される送受信手段３００とから構成されている。
【００２０】
懸賞サーバ１００は、専用のサーバマシンあるいはパーソナルコンピュータを利用して構築され、予め懸賞応募対象者に対して配布される懸賞応募用のＩＤコードの照合手段１０１、予め懸賞応募対象者に対して配布される仮情報の照合手段１０２、懸賞応募対象者から入力された返信用メールアドレス等を格納する応募情報記憶手段１０３、仮情報の入力に基づいて予め用意してある体験用の情報を提供する仮情報に基づく情報提供手段１０４、所定の時期に懸賞応募対象者の中から当選者を抽選して決定する当選者決定手段１０５等を備えている。
【００２１】
ここで、上記懸賞応募用のＩＤコードおよび仮情報は、配信地域を特定し得るデータベースを所有している場合には、そのデータベースに基づいて図２に示すような電子メールＭあるいはＦＡＸを送信して配布する。また、同様の内容を印刷したチラシを特定地域の家庭のポスト等に投函して配布してもよい。
【００２２】
電子メール等で配信される情報には、例えば図２に示すように、情報提供サービスサイト１にインターネット２を介してアクセスするためのＵＲＬ情報ｄ１、「今ならサイトにアクセスするだけで懸賞に応募できます。しかも、下記の仮情報を入力して操作方法を簡単に体験できます。」等の広告宣伝文ｄ２、懸賞応募用のＩＤコードｄ３、仮情報（入力体験用の仮情報）ｄ４が含まれる。
【００２３】
仮情報ｄ４としては、実際にクリニック検索を行う場合の手順を踏襲して、例えば、「画面の指示に従って、（１）東京都をクリック、（２）世田谷区をクリック、（３）内科をクリック、（４）Ａクリニックをクリック、してください。」といった内容が提供される。
【００２４】
なお、懸賞応募用のＩＤコードｄ３および仮情報ｄ４は、電子メールを配信する地域毎に変更することもできる。即ち、図２で示すＩＤコードｄ３および仮情報ｄ４は、例えば東京都世田谷区の地域に居住する懸賞応募対象者向けの例であり、これらの内容を配信する地域に応じて変更することができる。
【００２５】
これにより、懸賞応募対象者が実際にクリニック検索を行う場合に近似した仮情報で入力（選択）を行うことができ、懸賞応募対象者がコンピュータ操作に不慣れな高齢者等である場合でも入力操作に慣れさせることができるとともに、サイトの構成に応じて入力手順の容易さや得られる情報の有用性を体感的にアピールすることが可能となり、ユーザ獲得の可能性を高めることが期待できる。
【００２６】
一方、図１に示すクリニック情報サーバ２００は、専用のサーバマシンあるいはパーソナルコンピュータを利用して構築され、懸賞サーバ１００で応募を受け付け完了した懸賞応募対象者に対して個人ＩＤコードを付与する個人ＩＤ管理手段２０１、クリニック情報を得るために個人ＩＤコードが入力された際に、正規のＩＤコードであるか否かを確認する個人ＩＤ照合手段２０２、クリニックに関する情報を記憶するクリニック情報記憶手段２０３、
ユーザによって入力される情報に基づいて所望のクリニック情報を検索して提供する情報検索・提供手段２０４等を備えている。
【００２７】
なお、本実施形態では、懸賞サーバ１００とクリニック情報サーバ２００を個別の装置で構成する場合を示したが、１台のコンピュータで双方のサーバ機能を兼ねるようにしてもよい。
【００２８】
ここで、上記「クリニックに関する情報」としては、「クリニック名，院長名，クリニックの特徴，標榜科目，経歴，専門分野，専門医，認定医，診療理念，検査内容，平均待ち時間，紹介先病院，予約の要否，薬局の有無，所在地，電話番号，ＦＡＸ番号，メールアドレス，日帰り手術の可否，手術症例数，クリニック外観」等が挙げられる。
【００２９】
また、インターネット２に接続可能なユーザ端末３としては、モデムやターミナル装置等を備えるパーソナルコンピュータのほかに、携帯電話装置やＰＤＡ等の電子情報機器等も含まれる。
【００３０】
次に、概略以上のように構成された情報提供システムＳの運用の仕方を図３〜図１１を参照して説明する。
図３は情報提供システムＳにおける処理手順の概略を示すフローチャート、
図４〜図９はユーザ端末における懸賞応募の画面表示例を示す説明図、図１０，図１１はユーザ端末におけるクリニック検索の画面表示例を示す説明図である。
【００３１】
まず、図３において、懸賞応募対象者が、インターネット２に接続可能な状態のユーザ端末３でインターネット閲覧用のブラウザを起動させ、情報提供サービスサイト１のＵＲＬを入力する（ステップＳ１）。なお、このＵＲＬは前述したように図２に示すＦＡＸや電子メール等により懸賞応募対象者に予め告知されている。
【００３２】
次いで、ステップＳ２では、ＩＤコード入力用の画面表示（図４参照）から懸賞応募対象者に予め告知されている懸賞応募用のＩＤコード（図２のｄ２参照）あるいは個人ＩＤコード（既に付与されている場合）が入力される。入力されたＩＤコードは、インターネット２を介して情報提供サービスサイト１の懸賞サーバ１００に送信され、ステップＳ３に移行する。
【００３３】
ステップＳ３では、入力されたＩＤコードが懸賞用ＩＤコードであるか否かが判定され、懸賞用ＩＤコードであると判定した場合にはステップＳ４以降に遷移し、懸賞用ＩＤコードではないと判定した場合にはステップＳ８以降に遷移する。
【００３４】
ステップＳ４では、ユーザ端末３において、懸賞応募用の仮情報の入力画面（図５〜図８参照）から、懸賞応募対象者に予め告知されている懸賞応募用の仮情報（図２のｄ４参照）を画面の指示に従って選択（クリック）する。
【００３５】
具体的には、図２のｄ４を参照しつつ、図５の画面上の指示に従って、まず、地図上の「東京都」をクリックする。次いで図６の画面に遷移し、画面上の指示に従って、２３区内の「世田谷区」をクリックする。次いで図７の画面に遷移し、「内科，外科，眼科・・・婦人科」等の科目群から「内科」をクリックする。次いで、図８の画面に遷移し、Ａクリニック，Ｂクリニック，Ｃ病院・・・等の仮の検索結果を示す画面上から「Ａクリニック」をクリックする。なお、これらの画面表示は、懸賞サーバ１００の仮情報に基づく情報提供手段１０４によって制御される。
【００３６】
ここで、上記仮情報は、実際に情報提供サービスサイト１でクリニック検索を行う際の入力手順と同じ手順とされていることから、懸賞応募対象者が入力操作に不慣れな高齢者等である場合にも実際の操作を体験させることにより慣れさせることができ、また、地図を用いた入力手順の容易さや得られる情報の有用性を体感的にアピールすることが可能となり、新規なユーザ獲得の宣伝効果を高めることができる。
【００３７】
なお、図５，図６では、関東地域や東京区内を画面表示する例を示したが、これに限られるものではなく、クリニック検索のサービスを提供しようとする所定の地域を表示させて同様の入力操作を行わせてもよいは勿論である。また、懸賞応募対象者の居住地域に合わせて懸賞応募用のＩＤコードを変更し、そのＩＤコードに適合させた仮情報に基づいて所定の地域を表示するようにしてもよい。
【００３８】
以上のようにして入力（選択）された仮情報は、インターネット２を介して情報提供サービスサイト１の懸賞サーバ１００に送信され、ステップＳ５に移行する。
【００３９】
ステップＳ５では、懸賞サーバ１００の仮情報照合手段１０２によって、入力（選択）された仮情報が正しいか否かが判定され、"Ｎｏ"の場合にはステップＳ４に戻って再度の入力を求め、"Ｙｅｓ"の場合にはステップＳ６に移行する。
【００４０】
ステップＳ６では、図９に示すようにユーザ端末３において懸賞応募が完了した旨のメッセージを表示するとともに、応募確認と個人ＩＤコードを送信するためのメールアドレスを確認的に入力させて懸賞応募を完了させる。そして、懸賞サーバ１００では、入力されたメールアドレスに基づいて応募情報を応募情報記憶手段１０３に格納する。
【００４１】
次いで、ステップＳ７では、懸賞応募完了の通知と、付与された個人ＩＤコードを知らせるメールを送信して処理を終了する。個人ＩＤコードは、懸賞サーバ１００とクリニック情報サーバ２００が連携し、懸賞応募情報に基づいて個人ＩＤ管理手段により個別の個人ＩＤコードが割り振られるようになっている。
【００４２】
なお、図３のフローチャートでは省略したが、懸賞催行者が定めた所定期間経過後には、懸賞サーバ１００の当選者決定手段１０５を稼働させて、懸賞応募者の中から所定数の者を抽選し、当選した者には電子メール等で連絡するようになっている。
【００４３】
次に、ステップＳ８以降の処理について説明する。ステップＳ３で懸賞用ＩＤコードではないと判定された場合には、ステップＳ８に移行し、クリニック情報サーバ２００の個人ＩＤ照合手段２０２によって、付与された個人ＩＤコードであるか否かが判定される。判定結果が"Ｎｏ"である場合には、ＩＤコードが不正であるとして処理を終了する。"Ｙｅｓ"である場合にはステップＳ９に移行して検索情報を入力する。具体的には、図１０，図１１の（ａ）〜（ｄ）の手順で情報を入力（選択）していく。その際の手順は、懸賞応募の際に行った手順と同じである。したがって、ユーザは、操作手順を一度体験しているので、操作に迷うことなく所望のクリニック（病院）を検索することが期待できる。そして、図１１の（ｄ）で抽出された複数のクリニックから例えば「Ｉクリニック」が選択された場合には、クリニック情報サーバ２００のクリニック情報記憶手段２０３から該当する情報がインターネット２を通じてユーザ端末３に送信され、図１１（ｅ）に示すように、「Ｉクリニック」の詳細な情報を閲覧可能な状態となる。
【００４４】
このようにして、ユーザは、居住地域のクリニック（病院）の詳細情報を、懸賞応募を通じて体験した手順に沿って容易に得ることができる。
【００４５】
以上本発明者によってなされた発明を実施形態に基づき具体的に説明したが、本発明は上記実施例に限定されるものではなく、その要旨を逸脱しない範囲で種々変更可能である。
【００４６】
例えば、上記実施形態では、仮情報の入力のみで懸賞応募を完了させる場合について説明したが、これに限らず、簡単なクイズに解答させて正解者のみを応募完了者としてもよいし、宣伝を兼ねて健康相談の電子メールを送信できるようにしたり、健康Ｑ&Ａ等を閲覧できるようにしてもよい。
【００４７】
また、上記実施形態では、本発明に係る懸賞催行方式をクリニック検索のサービスを行うサイトに取り入れた場合について説明したが、これに限定されるものではなく、按摩，マッサージ，指圧，灸，柔道整復，鍼，健康診断，歯科医院，保育園，老人養護施設等に関する情報検索サービスを行うサイトや、その他の商品を検索するサイト等に応用することができる。即ち、本来提供したい情報を検索する手順と、懸賞応募において仮情報を入力あるいは選択する手順とが同じになるものであれば何にでも適用することが可能である。
【００４８】
また、本実施形態では、ＩＤコードを入力してから仮情報の入力やクリニックの検索を行うようになっているが、これに限らず、仮情報の入力やクリニックの検索を行った後にＩＤコードを入力させてもよい。
【図面の簡単な説明】
【００４９】
【図１】実施形態に係る懸賞方式を実施するための情報提供システムの概略を示すブロック図である。
【図２】懸賞応募用のＩＤコードおよび仮情報を含む提供情報の一例を示す説明図である。
【図３】情報提供システムＳにおける処理手順の概略を示すフローチャートである。
【図４】ユーザ端末における懸賞応募の画面表示例を示す説明図である。
【図５】ユーザ端末における懸賞応募の画面表示例を示す説明図である。
【図６】ユーザ端末における懸賞応募の画面表示例を示す説明図である。
【図７】ユーザ端末における懸賞応募の画面表示例を示す説明図である。
【図８】ユーザ端末における懸賞応募の画面表示例を示す説明図である。
【図９】ユーザ端末における懸賞応募の画面表示例を示す説明図である。
【図１０】ユーザ端末におけるクリニック検索の画面表示例を示す説明図である。
【図１１】ユーザ端末におけるクリニック検索の画面表示例を示す説明図である。
【符号の説明】
【００５０】
Ｓ    情報提供システム
１    情報提供サービスサイト
２    インターネット（通信ネットワーク）
３    ユーザ端末
１００  懸賞サーバ
２００  クリニック情報サーバ
【図１】
2005309507.tif 000003
【図２】
2005309507.tif 000004
【図３】
2005309507.tif 000005
【図４】
2005309507.tif 000006
【図５】
2005309507.tif 000007
【図６】
2005309507.tif 000008
【図７】
2005309507.tif 000009
【図８】
2005309507.tif 000010
【図９】
2005309507.tif 000011
【図１０】
2005309507.tif 000012
【図１１】
2005309507.tif 000013